(57)【要約】【課題】加工手間を少なくでき、しかも加工処理物の数が少なくても簡単に安価に処理できる建築用型鋼の表面加工方法を提供する。【解決手段】建築用型鋼の両端部夫々に、その型鋼の幅方向の最大寸法よりも大きな径の車輪を、型鋼の端部が車輪の外周部よりも外側にはみ出さない様にすると共に、軸心が型鋼の長手方向と平行または略平行になるように取付け、車輪を転動させて型鋼の周面の向きを変更させながら型鋼の表面を加工する。【選択図】図１
2010265652.tif 000002
【特許請求の範囲】
【請求項１】
建築用型鋼の両端部夫々に、その型鋼の幅方向の最大寸法よりも大きな径の車輪を、前記型鋼の端部が前記車輪の外周部よりも外側にはみ出さない様にすると共に、軸心が前記型鋼の長手方向と平行または略平行になるように取付け、
前記車輪を転動させて前記型鋼の周面の向きを変更させながら前記型鋼の表面を加工する
建築用型鋼の表面加工方法。
【請求項２】
前記車輪をタイヤ付車輪で構成し、そのタイヤ付車輪のホイールに前記型鋼の端部を取付ける請求項１に記載の建築用型鋼の表面加工方法。
【請求項３】
前記型鋼は、Ｈ型鋼、Ｉ型鋼、Ｃ型鋼、Ｌ型鋼の内から選択される１種である請求項１又は２に記載の建築用型鋼の表面加工方法。
【請求項４】
前記型鋼の加工は、塗装、溶接、切削加工、穴あけ加工の内の少なくとも１種を行うものである請求項１〜３のいずれか１項に記載の建築用型鋼の表面加工方法。
【発明の詳細な説明】
【技術分野】
【０００１】
建築用型鋼の表面加工方法に関する。
【背景技術】
【０００２】
従来、建築物で使用される型鋼においては、建築物の中でたとえば表面加工として耐火被覆等が必要となる箇所が、全てではなく一部の限られた箇所にのみ適用されることがある。この場合、その適用される型鋼の表面加工を行うのに、建築物として型鋼を組み立てた後に、その施工現場における表面加工の適用箇所において、設置された型鋼を現地で塗装等を行って耐火被覆する方法がある。その他に、建築物の耐火被覆適用箇所に使用される型鋼を、予め特定しておいて、それらの型鋼の耐火被覆加工の加工ライン設備を、加工工場内に形成しておき、その加工工場で流れ作業により表面加工を行う方法がある（周知技術で特許文献等を示すことができない）。
【発明の概要】
【発明が解決しようとする課題】
【０００３】
上述した従来の前者の方法では、建築現場において組付け施工後の型鋼に耐火被覆等の加工を施すのは、特に型鋼等の表面形状には凹凸があり、しかも、施工面によっては、上向き姿勢で行わなければならなかったり、スプレー機等の施工装置が届きにくかったり、施工面が垂直面の場合には、塗布材等の表面処理材が液垂れしたりして表面加工が困難で手間が多く掛かるという問題がある。
また、後者の方法では設備費が高くつき、加工する型鋼の数が少なければ不経済であるという問題点がある。
【０００４】
従って、本発明の目的は、上記問題点を解消し、加工手間を少なくでき、しかも加工処理物の数が少なくても簡単に安価に処理できる建築用型鋼の表面加工方法を提供するところにある。
【課題を解決するための手段】
【０００５】
本発明の第１の特徴構成は、建築用型鋼の両端部夫々に、その型鋼の幅方向の最大寸法よりも大きな径の車輪を、前記型鋼の端部が前記車輪の外周部よりも外側にはみ出さない様にすると共に、軸心が前記型鋼の長手方向と平行または略平行になるように取付け、前記車輪を転動させて前記型鋼の周面の向きを変更させながら前記型鋼の表面を加工するところにある。
【０００６】
本発明の第１の特徴構成によれば、型鋼の両端部にその型鋼の幅方向の最大寸法よりも大きな径の車輪を取付け、しかも、型鋼の端部が車輪の外周部よりも外側にはみ出さない様にすると共に、軸心が型鋼の長手方向と平行または略平行になるように取付けることにより、型鋼の両端部に取付けた車輪を接地させて、転動させれば型鋼が地面に接することなく楽にその周面の向きが変更できる。
従って、例えば、表面塗装のような加工をする場合でも、常に加工する作業者は、下向き姿勢で楽に作業ができる。また、型鋼を地面と接触しないようにしながらその周面の向きを少ない労力で変更して、加工できるために、塗装膜が固まらないうちでもその全周面を短時間で塗装できる。
その上、少量の型鋼であっても、大きな加工設備を設けずに表面加工ができる。
【０００７】
本発明の第２の特徴構成は、車輪をタイヤ付車輪で構成し、そのタイヤ付車輪のホイールに型鋼の端部を取付けるところにある。
【０００８】
本発明の第２の特徴構成によれば、本発明の第１の特徴構成による上述の作用効果を叶えることができるのに加えて、タイヤ付車輪によって軽く型鋼の周面の向きを変更でき、しかも、タイヤ付車輪を車に取付けるように、型鋼は、その端部をタイヤ付車輪のホイールに簡単に取付けられる。しかも、そのタイヤ付車輪は、型鋼の表面加工作業が終わっても型鋼から分離することにより、再び何度でも使用でき、より経済的である。
【０００９】
本発明の第３の特徴構成は、前記型鋼は、Ｈ型鋼、Ｉ型鋼、Ｃ型鋼、Ｌ型鋼の内から選択される１種であるところにある。
【００１０】
本発明の第３の特徴構成によれば、各種表面形状の異なるしかも重量の大な型鋼にも、同様に手間少なく表面加工できる。
【００１１】
本発明の第４の特徴構成は、前記型鋼の加工は、塗装、溶接、切削加工、穴あけ加工の内の少なくとも１種を行うものである。
【００１２】
本発明の第４の特徴構成によれば、少量の型鋼を、塗装、溶接、切削加工、穴あけ加工等簡単に施工現場ででも行える。
【図面の簡単な説明】
【００１３】
【図１】実施形態で説明する型鋼に車輪を取付けた状態の斜視図である。
【図２】要部縦断面図である。
【図３】要部の分解斜視図である。
【図４】型鋼の耐火被覆構造を示す斜視図である。
【発明を実施するための形態】
【００１４】
以下に本発明の実施の形態を図面に基づいて説明する。
建築物の柱や梁などに使用される鋼材として、Ｈ型鋼１を耐火被覆加工する例について説明する。
Ｈ型鋼１の耐火被覆構造は、図４に示されるように、型鋼の表面から順に、防食プライマー層２、第１プライマー層３、エポキシ系の第１耐火材層４、目の粗いガラスクロス層５、エポキシ系の第２耐火材層６、第２プライマー層７、耐火層を紫外線から保護するためのウレタン塗料から成る保護層８が設けてある。
【００１５】
Ｈ型鋼１の表面を前述の各層を順次塗装するのに、図１〜図３に示すように、Ｈ型鋼１の両端部夫々に、そのＨ型鋼１の幅方向の最大寸法よりも大きな径のタイヤ付車輪９を、Ｈ型鋼１の端部がタイヤ付車輪９の外周部よりも外側にはみ出さない様にすると共に、軸心が前記型鋼の長手方向と平行または略平行になるように取付ける。
Ｈ型鋼１とタイヤ付車輪９との連結構造は、タイヤ付車輪９のホイール１０に形成してある第１ボルト挿通孔１２と、連結金具１３に形成した第２ボルト挿通孔１４とにわたってボルト１５を挿通させると共に、ナット１６で締め付けて一体連結し、Ｈ型鋼１の端部のウェブに形成した第３ボルト挿通孔１７と連結金具１３に形成した第４ボルト挿通孔１８とにわたってボルト１５を挿通させると共にナット１６を締め付けて一体連結して、Ｈ型鋼１とタイヤ付車輪９とを連結する。
【００１６】
次に、タイヤ付車輪９が両端に取付けられたＨ型鋼１を、タイヤ１１を接地させた状態で、塗装作業箇所まで転がせながら移動させ、そこで接地させた状態でＨ型鋼１の表面の上側部分を、刷毛塗りやローラ塗りやスプレー吹き付け塗装等の一般的な方法で塗装する。他の表面部は、更にタイヤ付車輪９を転動させてＨ型鋼１の姿勢を変えて、凹凸な表面全てを地面に接触させることなく塗装する。これらの表面塗装を繰り返して前述の各層を重ねていくことで耐火被覆された鋼材が完成する。
最後にＨ型鋼１からタイヤ付車輪９を取り外せば、何度でもタイヤ付車輪９は型鋼の加工に使用できる。
【００１７】
〔別実施形態〕
以下に他の実施の形態を説明する。
【００１８】
〈１〉  本発明は、Ｈ型鋼１に変えてＩ型鋼、Ｃ型鋼、Ｌ型鋼等の一般的な鋼材の表面加工に使用できる。
〈２〉  前記型鋼の表面加工は、塗装の他に、溶接、切削加工、穴あけ加工または、それらの組み合わせに利用できる。
〈３〉  タイヤ付車輪９に代えて他の車輪でも良い。
【００１９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２０】
１      Ｈ型鋼
９      タイヤ付車輪
１０    ホイール
【図１】
2010265652.tif 000003
【図２】
2010265652.tif 000004
【図３】
2010265652.tif 000005
【図４】
2010265652.tif 000006